(57)【要約】  フロントソール（２１）と、ヒール（２３）と、を有するスポーツ用履物であって、前記フロントソール（２１）は第一摩擦サポート（３０）を有し、かつ前記ヒール（３０）は第二摩擦サポート（２５）を有し、前記第二摩擦サポート（２５）は前記第一摩擦サポート（３０）よりも実質的に少ない摩擦サポートを有する、スポーツ用履物。
2018535814.tif 000002
【特許請求の範囲】
【請求項１】
第一摩擦サポートを有するソールと、第二摩擦サポートを有するヒールと、を有するスポーツ用履物であって、前記第二摩擦サポートは、前記第一摩擦サポートよりも実質的に少ない摩擦サポートを有するスポーツ用履物。
【請求項２】
前記第一摩擦サポートのソール形成部分のみにストッパを有し、前記第二摩擦サポートを有するヒールにはストッパを有しない請求項１に記載のスポーツ用履物。
【請求項３】
前記第二摩擦サポートを有するヒールを有し、実質的に突起がないことが、非常に低い第二摩擦サポートを形成する請求項１または２に記載のスポーツ用履物。
【請求項４】
前記第二摩擦サポートを有するヒールを有し、クリートなどの小さな突起が、前記第一摩擦サポートと比較し低い第二摩擦サポートを形成する請求項１または２に記載のスポーツ用履物。
【請求項５】
前記スポーツ用履物の前記ソールおよび前記ヒールから突出する、ストッパおよびクリートを有し、前記ストッパは、前記第一摩擦サポートのソール形成部分のみにあり、前記ストッパは、前記第二摩擦サポートを有するヒールにはない請求項１から４のいずれか一項に記載のスポーツ用履物。
【請求項６】
前記クリートは、前記ストッパよりも小さな突起である請求項５に記載のスポーツ用履物。
【請求項７】
前記クリートは、前記ストッパの突起の約６０％未満突出して前記ストッパよりも小さな突起を形成する請求項６に記載のスポーツ用履物。
【請求項８】
前記クリートは、前記ストッパの突起の約５０％突出して前記ストッパよりも小さな突起を形成する請求項６に記載のスポーツ用履物。
【請求項９】
前記クリートは、約７．５ミリメートル突出する請求項６に記載のスポーツ用履物。
【請求項１０】
前記ストッパは、約１５．０ミリメートル突出する請求項９に記載のスポーツ用履物。
【請求項１１】
向上した縦方向および横方向コントロールを備える、改良された第一前部足サポートを有する、フットボールブーツをさらに備え、その結果、足の前部のみが主に地面に係合して摩擦コントロールを提供する請求項１から１０のいずれか一項に記載のスポーツ用履物。
【請求項１２】
前記第一摩擦サポートを有するソールは、前記第二摩擦サポートを有するヒールに対して、ある角度をなしており、前記第二摩擦サポートは、前記第一摩擦サポートよりも実質的に少ない摩擦サポートを有し、その結果、足の前部のみが主に地面に係合して摩擦コントロールを提供する請求項１１に記載のスポーツ用履物。
【請求項１３】
前記第一摩擦サポートを有するソールに対する、前記第二摩擦サポートを有するヒールの通常の非湾曲角度は、約３０°〜４５°である請求項１２に記載のスポーツ用履物。
【請求項１４】
前記第一摩擦サポートを有するソールに対する、前記第二摩擦サポートを有するヒールの角度は、約０°とほぼ非湾曲角度との間で曲がる請求項１２に記載のスポーツ用履物。
【請求項１５】
前記第一摩擦サポートを有するソールに対する、前記第二摩擦サポートを有するヒールの角度は、非湾曲角度に戻るように弾性的に曲がる請求項１４に記載のスポーツ用履物。
【請求項１６】
ストッパは、実質的に円錐台状の突起である請求項３または５に記載のスポーツ用履物。
【請求項１７】
前記クリートは概して、リードする前部と、幅広後部と、を有する、成形された突起である請求項４または５に記載のスポーツ用履物。
【請求項１８】
前記クリートは概して、前記第一摩擦サポートによる停止アクションを助けるために、前記スポーツ用履物で前方を向く成形突起の幅広後部を有するように、フロントソールに配置されている請求項１７に記載のスポーツ用履物。
【請求項１９】
前記クリートは概して、前記第二摩擦サポートによる前方にスライドする動きを助けるために、前記スポーツ用履物で前方を向く成形突起の幅狭前部を有するように、リヤヒールに配置されている請求項１７または１８に記載のスポーツ用履物。
【請求項２０】
前記クリートは概して、前記スポーツ用履物の甲の領域またはポイントに向かって後方を向く成形突起の幅狭前部を有するように、フロントソールに配置されている請求項１７または１８に記載のスポーツ用履物。
【請求項２１】
前記ヒールの外周上または前記ヒールの外周近くのクリートは概して、前記スポーツ用履物の甲の領域またはポイントに向かって前方を向く成形突起の幅狭前部を有するように、リヤヒールに配置されている請求項１７または１８に記載のスポーツ用履物。
【請求項２２】
前記クリートは概して、前記スポーツ用履物の甲の領域またはポイントに向かって後方を向く成形突起の幅狭前部を有するように、フロントソールに配置されている請求項１７または１８に記載のスポーツ用履物。
【請求項２３】
前記クリートは、内側に向けて傾く後面および側面を備える、リードする前部および幅広後部を有する、ほぼ三角柱状の突起である請求項１７に記載のスポーツ用履物。
【請求項２４】
前記内側に向けて傾く後面および側面は、実質的に平面である請求項２３に記載のスポーツ用履物。
【請求項２５】
前記内側に向けて傾く側面と側面とが交わる部分は、丸みを帯びている請求項２３に記載のスポーツ用履物。
【請求項２６】
内側に向けて傾く側面と側面との交わる部分は、数珠状をなしている請求項２３に記載のスポーツ用履物。
【請求項２７】
前記内側に向けて傾く側面と側面との交わる部分は、面取りされている請求項２３に記載のスポーツ用履物。
【請求項２８】
前記内側に向けて傾く後面および側面は、外側傾斜壁が内側傾斜壁よりも少なく内側に傾くように、前記ソールまたは前記ヒールに成形および配置されている請求項２３に記載のスポーツ用履物。
【請求項２９】
前記クリートが前記ソールまたは前記ヒールの中央に配置された場合、外側傾斜壁が内側傾斜壁と実質的に等しく傾くように、前記内側に向けて傾く後面および側面は、前記ソールまたは前記ヒールに成形および配置されている請求項２３に記載のスポーツ用履物。
【請求項３０】
前記スポーツ用履物のソールおよびヒールから突出する、ストッパおよびクリートを有し、前記ストッパは、前記第一摩擦サポートのソール形成部分のみにあり、前記ストッパは、前記第二摩擦サポートを有するヒールにはなく、前記ストッパは、スロットの受入スクリューに受け入れ可能である請求項３に記載のスポーツ用履物。
【請求項３１】
前記スポーツ用履物のソールおよびヒールから突出する、前記ストッパおよびクリートを有し、前記ストッパは、前記第一摩擦サポートのソール形成部分のみにあり、前記ストッパは、前記第二摩擦サポートを有するヒールにはなく、前記クリートは、前記ヒールまたは前記ソールと一緒に成形可能である請求項５に記載のスポーツ用履物。
【請求項３２】
前記スポーツ用履物のソールおよびヒールから突出する、前記ストッパおよびクリートを有し、前記ストッパは、前記第一摩擦サポートのソール形成部分のみにあり、前記ストッパは、前記第二摩擦サポートを有するヒールにはなく、前記ストッパは、フロントソールと一緒に成形可能である請求項５に記載のスポーツ用履物。
【請求項３３】
向上した縦方向および横方向コントロールを備える、改良された枢動前部足サポートを有する、フットボールブーツをさらに備え、その結果、足の前部のみが主に地面に係合して摩擦コントロールを提供する請求項１から５のいずれか一項に記載のスポーツ用履物。
【請求項３４】
フットボールブーツを備え、前記改良された枢動前部足サポートは、フロントソールにストッパを含む請求項３３に記載のスポーツ用履物。
【請求項３５】
フットボールブーツを備え、前記改良されたスポーツ用履物は、前記フロントソールに対してリヤソールに、ストッパを含まないか、または実質的な突起を含まない請求項３４に記載のスポーツ用履物。
【請求項３６】
フットボールブーツを備え、前記改良された枢動前部足サポートは、前記フロントソールと一体になっている請求項３５に記載のスポーツ用履物。
【請求項３７】
フットボールブーツを備え、前記改良された枢動前部足サポートは、成形ストッパと一体化された成形ソールにより、前記フロントソールと一体的に成形されている請求項３６に記載のスポーツ用履物。
【請求項３８】
フットボールブーツを備え、前記改良された枢動前部足サポートは、前記フロントソールに取り付け可能である請求項３７に記載のスポーツ用履物。
【請求項３９】
フロントソールプレートを有するフットボールブーツを含み、複数のソケットのそれぞれが、突出可能ストッパを受け入れ、第一フロント摩擦サポートソールを提供する請求項３８に記載のスポーツ用履物。
【請求項４０】
配置状態で複数のストッパのうちの少なくともいくつかは、ソールプレートの側縁近くにて実質的に対向するラインを形成している請求項１に記載のスポーツ用履物。
【請求項４１】
各ソケットが突出可能ストッパを受け入れる複数のソケットの大部分は、フロントソールプレートの後部に配置され、ソールプレートの側縁の近くにて、実質的に対向するラインを形成している請求項１から４０のいずれか一項に記載のスポーツ用履物。
【請求項４２】
回転枢支点を形成するために、各ソケットが突出可能ストッパを受け入れる複数のソケットのうちの少なくとも１つは、他のストッパから離間されたフロントソールプレートの中央位置に配置可能である請求項４１に記載のスポーツ用履物。
【請求項４３】
フットボールブーツは、ロールまたは安定性特性を備えるが、摩擦特性を備えない、リヤヒール構成を有し、その結果、足の前部だけが主に地面に係合して摩擦コントロールを提供し、一方、前記フットボールブーツの後部は、横方向または縦方向への正確な動きを助ける請求項１から４２のいずれか一項に記載のスポーツ用履物。
【請求項４４】
前記ヒールは、成形された連続的なヒールであることを特徴とする請求項１から４３のいずれか一項に記載のスポーツ用履物。
【請求項４５】
前記ヒールは、突起をほとんど有していないか、または突起を全く有していないことを特徴とする請求項１から４４のいずれか一項に記載のスポーツ用履物。
【請求項４６】
フットボールブーツは、フロントソールに対して前記ヒールを曲げるための、柔軟性がある請求項１から４５のいずれか一項に記載のスポーツ用履物。
【請求項４７】
フットボールブーツは、ストッパ等の使用による第一フロントソール摩擦サポートのみを必要とする請求項１から４６のいずれか一項に記載のスポーツ用履物。
【請求項４８】
ａ．ソールおよびヒールであって、
ｉ．前記ソールは、第一摩擦サポートを有し、前記ヒールは、第二摩擦サポートを有し、前記第二摩擦サポートは、前記第一摩擦サポートよりも少ない摩擦サポートを有する、ソールおよびヒールと、
ｂ．スポーツ用履物のソールおよびヒールから突出する、ストッパおよびクリートであって、
ｉ．前記ストッパは、前記第一摩擦サポートのソール形成部分のみにあり、前記ストッパは、前記第二摩擦サポートを有するヒールにはなく、
ii．前記クリートは、前記ストッパよりも小さな突起である、ストッパおよびクリートと、
ｃ．足の前部のみが主に地面に係合して摩擦コントロールを提供するような、ヒールに対するある角度で、前記第一摩擦サポートを有する、ソールと、
を有するスポーツ用履物。
【請求項４９】
前記クリートは概して、リードする前部および幅広後部を有する、成形された突起であり、
前記クリートは、内側へ向けて傾く後面および側面を備える、リードする前部および幅広後部を有する、ほぼ三角柱状の突起である請求項４８に記載のスポーツ用履物。
【請求項５０】
ａ．前記クリートは、内側に向けて傾く後面および側面を備える、リードする前部および幅広後部を有する、ほぼ三角柱状に成形された突起であり、
ｂ．前記クリートは概して、前記第一摩擦サポートによる停止アクションを助けるために、前記スポーツ用履物で前方を向く成形突起の幅広後部を有するように、フロントソールに配置されており、
ｃ．クリートは概して、前記第二摩擦サポートによる前方にスライドする動きを助けるために、前記スポーツ用履物で前方を向く成形突起の幅狭前部を有するように、リヤヒールに配置されている請求項４９に記載のスポーツ用履物。
【請求項５１】
ａ．内側に向けて傾く後面および側面は、外側傾斜壁が内側傾斜壁よりも少なく内側に傾くように、ソールまたはヒールに成形および配置され、
ｂ．前記クリートが前記ソールまたはヒールの中央に配置された場合、前記外側傾斜壁が前記内側傾斜壁と実質的に等しく傾くように、内側に向けて傾く後面および側面は、前記ソールまたはヒールに成形および配置されている請求項５０に記載のスポーツ用履物。
【発明の詳細な説明】
【技術分野】
【０００１】
本発明はスポーツ用履物、より詳細にはフットボール用ブーツに関する。
【０００２】
本発明は、サッカー、オーストラリアンルールズ（Australian Rules）、ラグビーまたはグリッドアイロン（Rugby or Grid Iron）であろうとなかろうと、１つまたは複数の様々なコードにおいてフットボールをするのに主に用いるために開発されたものであり、本出願を参照しつつ以下に説明する。しかしながら、本発明は、この特定の使用分野に限定されないことが理解される。
【背景技術】
【０００３】
スポーツ用履物は概して、スポーツ用履物が使用される目的およびサーフェス（surface）に依存する。サーフェスは、以下の３つのグループに分類され得る。
・バスケットボール、屋内クリケット、バレーボール、卓球、スカッシュ、および他の屋内スポーツの範囲、テニスなどのボールスポーツのための、スムーズな平らな木製、コンクリート、カーペットまたはラバー、競技場フロアなどの屋内または屋外の平坦なスポーツ用サーフェス。このタイプのサーフェスは、グリップを可能にする平らなソールのシューズを必要とする。
・長さおよびかなりの曲がりやすさを有する天然または人工の芝生の競技場。このタイプのサーフェスは、地面が人をスライドさせるのを停止するために、突出するストッパを必要とする。これは、ストッパによりカバーされた履物の底面全体に見られて、このスリップを防ぐ。
・ランニングトラックまたは芝クリケットピッチなどの、突き刺すことが可能な天然または合成サーフェス。このタイプのサーフェスは、サーフェスを突き刺す長く鋭い金属スパイクを必要とするとともに、作用/反応アプローチにおいて実質的に前方のみへの動きを提供するように構成される。
【０００４】
したがって、スポーツ用履物は、
ｉ）平坦なソールと、
ii）スリップ防止または摩擦コントロールシステムを提供するために、ソールおよびヒール全体にストッパを有するフットボールまたはアウトドアブーツと、
iii）専門的なサーフェスを突き刺すとともに実質的に前方のみへの前進を提供するように配置された鋭いスパイクと、を備えることがわかる。
【０００５】
スポーツにおいて、最近は、２０年前と比べて、フットボールなどをすることにかなりの違いがある。特に、より多くのランニングがあるが、前方に走るだけではなく、より多くの偏移ランニング（deviation running）があり、迂回（circuitous）または混雑する集団（crowded pack）またはスクラムを組んだ場所（scrum locations）を貫く道を提供するための大きな横方向偏移（lateral deviation）は、迅速かつ効果的な方向転換を必要とする。底面一面にストッパを備える通常のフットボールブーツが使用される場合、その結果、方向転換の可能性はほとんどなく、足、足首、膝痛、または膝の損傷リスクを大幅に増加させてしまう。
【０００６】
しかしながら、このような既知のスポーツシューズシステムは、以下の１つまたは複数を可能にするスポーツウェアの天然または合成の芝生競技場での使用のために提供されるような十分なサポートおよびコントロールを提供しない。
・コントロールされた横方向運動、
・素早い方向転換、
・枢動性に対する許容性、
・前正面（directly forward direction）以上のコントロール。
【０００７】
ゴルフシューズにおいてハードスパイクを使用することから、長く鋭い金属スパイクではなく、より柔らかい圧縮プラスチック摩擦要素である「ソフトスパイク」と呼ばれるものに進歩があった。これはまだ、いわゆるグリップが存在するが、ゴルフコースのフェアウェイおよびグリーンの突き刺しおよび磨耗および裂け目が最小限に抑えられる。しかしながら、アイデアは依然として、ティーショットまたフェアウェイショットをするときの安定性を提供することであり、したがって、ソフトスパイクは、全体にわたってほぼ平らなパターンでソフトスパイクを含む実質的に平たい連続的なフラットソールおよびヒールの全体にわたって均等に配置される。
【発明の概要】
【発明が解決しようとする課題】
【０００８】
しかしながら、真正面以外の方向への素早い動きを可能にする、スポーツ用履物における提案は未だ示されていない。
【０００９】
本発明は、前記従来技術の欠点のうちの少なくとも１つまたは複数を克服するかまたは実質的に改善する、または少なくとも代替物を提供する、スポーツ用履物を提供することを目的とする。
【００１０】
先行技術情報が本明細書に参照される場合、そのような参照は、前記先行技術情報が、オーストラリアまたは任意の別の国において、当該技術分野における共通の一般的な知識の一部を形成することを認めるものではないことを理解されたい。
【課題を解決するための手段】
【００１１】
本発明の一態様によれば、スポーツ用履物は、第一フロントソール摩擦サポートを必要とすることにより、提供される。
【００１２】
スポーツ用履物の発明は、グリップをさらに保持しながら、改善された動きやすさを可能にするという利点を提供することがわかる。
【００１３】
本発明はまた、第一摩擦サポートを有するソールと、第二摩擦サポートを有するヒールと、を有するスポーツ用履物であって、第二摩擦サポートは第一摩擦サポートよりも実質的に少ない摩擦サポートを有する、スポーツ用履物を提供する。
【００１４】
本発明のさらなる態様によれば、足の前部のみが主に地面に係合して摩擦コントロールを提供するような、向上した縦方向および横方向コントロールを備える、改良された第一前部足サポートを有するフットボールブーツにより、スポーツ用履物が提供される。
【００１５】
スポーツ用履物の発明は、横方向運動の利点をもたらすことがわかる。
【００１６】
好ましくは、スポーツ用履物は、向上した縦方向および横方向コントロールを備える、改良された第一前部足サポートを有する、フットボールブーツを備え、その結果、足の前部のみが主に地面に係合して摩擦コントロールを提供する。
【００１７】
フットボールブーツは、向上した縦方向および横方向コントロールを備える、改良された枢動前部足サポートを有することができ、その結果、足の前部のみが主に地面に係合して摩擦コントロールを提供する。
【００１８】
スポーツ用履物は、改良された枢動前足サポートが、フロントソールにストッパを含み、改良された履物は、フロントソールと比較してリヤソールに、ストッパを含まないか、または実質的な突起を含まない。
【００１９】
改良された枢動前部足サポートは、前部と一体化することができるか、またはフロントソールに取り付け可能である。
【００２０】
一の形態において、フットボールブーツは、成形ストッパと一体化された成形ソールによりフロントソールと一体的に形成された、改良された枢動前部足サポートを有することができる。
【００２１】
別の形態において、フットボールブーツは、複数のソケットのそれぞれが第一前部摩擦サポートソールを提供する突出可能ストッパを受け入れる、フロントソールプレートを有することができる。
【００２２】
好ましくは、スポーツ用履物は、各ソケットが突出可能ストッパを受け入れ、ソールプレートの側縁近くにて実質的に対向するラインを形成する、複数のソケットのうちの少なくともいくつかを有する。
【００２３】
各ソケットが突出可能ストッパを受け入れる複数のソケットの大部分は、フロントソールプレートの後方に配置することができ、ソールプレートの側縁近くにて実質的に対向するラインを形成する。
【００２４】
各ソケットが突出可能ストッパを受け入れる複数のソケットのうちの少なくとも１つは、回転枢支点を形成するために別のストッパから離間されたフロントソールプレートの中央位置に配置することができる。
【００２５】
好ましくは、フットボールブーツは、ロールまたは安定性特性を備えるリヤヒール構成であって、足の前部のみは主に地面に係合して摩擦コントロールを提供するが靴の後部は横方向または縦方向への正確な動きを助けるような摩擦特性を備えないリヤヒール構成を有する。
【００２６】
ヒールは、成形された連続的なヒールであってもよい。好ましくは、ヒールには、突起がほとんどないか、または突起が全くない。
【００２７】
好ましくは、ブーツは、フロントソールに対してヒールを曲げるための、柔軟性がある。
【００２８】
本発明は、ストッパ等の使用による第一フロントソール摩擦サポートのみを必要とするフットボールブーツである、スポーツ用履物を提供することができる。
【００２９】
本発明の一形態によれば、第一摩擦サポートを有するソールと、第二摩擦サポートを有するヒールと、を有するスポーツ用履物であって、第二摩擦サポートは第一摩擦サポートよりも少ない摩擦サポートを有し、ストッパおよびクリートは履物のソールおよびヒールから突出し、かつストッパは第一摩擦サポートのソール形成部分のみにあり、ストッパは第二摩擦サポートを有するヒールにはなく、クリートはストッパよりも小さな突起であり、かつソールは足の前部のみが主に地面に係合して摩擦コントロールを提供するような、ヒールに対するある角度で、第一摩擦サポートを有する、スポーツ用履物を提供する。
【００３０】
クリートは概して、リードする前部と、幅広後部と、を有する、成形された突起であり、クリートは、内側に向けて傾く後面と側面とを備える、リードする前部と幅広後部とを有する、ほぼ三角柱状の突起である。
【００３１】
クリートは、内側に向けて傾く後面と側面とを備える、リードする前部と幅広後部とを有する、ほぼ三角柱状の突起であり、
クリートは概して、第一摩擦サポートによる停止アクションを助けるために、スポート用履物で前方を向く成形突起の幅広後部を有するように、フロントソールに配置され、クリートは概して、第二摩擦サポートによる前方にスライドする動きを助けるために、スポート用履物で前方を向く成形突起の幅狭前部を有するように、リヤヒールに配置される。
【００３２】
内側に向けて傾く後面および側面は、外側傾斜壁が内側傾斜壁よりも少なく内側に向けて傾くように、ソールまたはヒールに成形および配置され、クリートがソールまたはヒールの中央に配置された場合、外側傾斜壁が内側傾斜壁と実質的に等しく傾くように、内側に向けて傾く後面および側面は、ソールまたはヒールに成形および配置される。
【００３３】
上記に照らして、スポーツ用履物は、以下の１つまたは複数を含む改良構造と実質的に組み立てることができる。
Ｉ．フロントソールでランニングしているときのスリップを最小限に抑えるための構成を含む構造体および組立体の改良、
II．コントロールされた横方向運動の向上および素早い方向転換、
III．フロントソールでの枢動に対する許容性の向上、
iv．真正面方向（directly forward direction）以上のコントロール。
Ｖ．ユーザーおよびスポーツに適合するように、前、後、および横方向スリップまたはスリップ防止の構成の調節能力、
vi．よりシンプルな構造、
vii．ストッパの一体または受け入れ可能な能力、
viii．履物を前方に重くする能力。
【００３４】
スポーツ用履物の発明は、従来技術とは異なり、現代のマルチタスク履物になり得るという利点をもたらすことがわかる。
【００３５】
本発明の別の態様はまた、開示される。
【００３６】
本発明の範囲内に入り得る任意の別の形態にもかかわらず、本発明の一の好ましい実施形態（a preferred embodiment）／複数の好ましい実施形態（preferred embodiments）を、添付の図面を参照して、単なる例として、以下に説明する。
【図面の簡単な説明】
【００３７】
【図１】図１は、本発明の好ましい実施形態によるスポーツ用履物の側面図である。
【図２】図２は、図１のスポーツ用履物の底部平面図である。
【図３】図３は、第一摩擦サポートの一部としてのフロントソール上のストッパに対する第二摩擦サポートの一部としてのヒール上のクリートの相対的な大きさを示す、図１および図２のスポーツ用履物の側面図である。
【図４】図４は、ヒール面に対するフロントソールの角度変化を示す、図１および図２のスポーツ用履物の側面図である。
【図５】図５は、図１および図２のスポーツ用履物の底面図であり、甲部分のポイントまたは領域に対して前方にリードする第二摩擦サポートの一部としてヒールに構成され、甲部分のポイントまたは領域に対して後方にリードする第一摩擦サポートの一部としてフロントソールに構成されたときの、幅広後部に対する成形クリートのリードする幅狭前部の相対的な方向位置を示す。
【図６】図６は、中央に位置するクリートおよび側部に位置するクリートおよびそれらの相対位置によるクリートの構造の変化を示す図５の詳細図である。
【図７】図７は、図１のスポーツ用履物の使用に関する、相対的位置および要求によるものである、クリートの構造の変形の概略説明図である。
【図８】図８は、図１のスポーツ用履物の使用に関する相対的位置および要件によるものである、クリートの構造の変形の概略説明図である。
【図９】図９は、図１のスポーツ用履物の使用に関する相対的位置および要件によるものである、クリートの構造の変形の概略説明図である。
【図１０】図１０は、図１のスポーツ用履物の使用に関する相対的位置および要件によるものである、クリートの構造の変形の概略説明図である。
【図１１】図１１は、本発明のさらに好ましい実施形態によるスポーツ用履物の側面図である。
【図１２】図１２は、図１１のスポーツ用履物の底部平面図である。
【図１３】図１３は、フロントソールの特定部分を示す、図１１のスポーツ用履物の底部平面図である。
【図１４】図１４は、フロントソールの特定部分を示す、図１１のスポーツ用履物の底部平面図である。
【図１５】図１５は、フロントソールの特定部分を示す、図１１のスポーツ用履物の底部平面図である。
【図１６】図１６は、本発明の別の好ましい実施形態によるスポーツ用履物である。
【図１７】図１７は、図１６のスポーツ用履物の底部平面図である。
【図１８】図１８は、フロントソールの特定セクションを示す図１６のスポーツ用履物の底部平面図である。
【図１９】図１９は、フロントソールの特定セクションを示す図１６のスポーツ用履物の底部平面図である。
【図２０】図２０は、フロントソールの特定セクションを示す図１６のスポーツ用履物の底部平面図である。
【発明を実施するための形態】
【００３８】
以下の説明において、異なる実施形態における同様または同じ参照番号は、同じまたは類似の特徴を示すことに注意すべきである。
【００３９】
一の形態において、本発明は、第一フロントソール摩擦サポートのみを必要とする、スポーツ用履物を提供する。これは、ストッパ等の使用による第一フロントソール摩擦サポートのみを必要とするフットボールブーツにおいて達成され得る。
【００４０】
図１〜図６を参照すると、本発明にかかるフットボールブーツ１１が示されており、つま先部分からヒール部分まで延びるアッパー１９を有し、頂部セクションにおいてひもで閉じることができる。下面において、中央の足の甲またはアーチサポートエリア２２からリヤヒールセクション２３まで延びる、フロントソール２１から延びるソール２０がある。
【００４１】
本発明の実施形態のこの形態において、スポーツ用履物１１は、フロントソール２１と、リヤヒール２３と、を有し、フロントソール２１は、第一摩擦サポートを有し、リヤヒール２３は、第二摩擦サポートを有し、第二摩擦サポートは、第一摩擦サポートよりも実質的に少ない摩擦サポートを有する。
【００４２】
複数の円錐台状のストッパ３０および成形されたクリート２５は、スポーツ用履物のソールおよびヒールから突出している。ストッパ３０およびクリート２５の数および密度、ソールおよびヒールの突起の相対的なサイズ、成形クリート２５の成形、クリートの相対的な位置およびクリートの配向の変更が、ヒール２３の第二摩擦面に対する、フロントソール２１の第一摩擦面の変更をもたらす。
【００４３】
この実施形態の図３において、ストッパは、第一摩擦サポートのソール形成部分のみにあり、ストッパは、第二摩擦サポートを有するヒールにはなく、クリートは、ストッパよりも小さな突起である。特にクリート。
【００４４】
図４を参照すると、フロントソールは、足の前部のみが主に地面に係合して摩擦コントロールを提供するような、ヒールに対する角度Ｚで、第一摩擦サポートを有する。
【００４５】
図５および図６を参照すると、クリートは概して、リードする前部と、幅広後部と、を有する、成形された突起である。この成形により、全体的なスライド方向を、リードする前部に合わせることが可能となり、一方、幅広後部はむしろ、その方向において、よりスライドを防止する態様である。この特定の実施形態において、内側に向けて傾く後面および側面を備える、リードする前部および幅広後部を有する、ほぼ三角柱状の成形突起として、クリートを有することが特に有利である。したがって、三角柱状の成形突起のこの形態において、クリートは、内側に向けて傾く後面および側面を備える、リードする前部および幅広後部を形成する、３つの実質的に平面的な側面を有する。
【００４６】
クリートの成形は、フロントソールまたはヒールの位置に応じて変更する。クリートは概して、スポーツ用履物で前方を向く成形突起の幅広後部を有するように、フロントソールに配置された場合、第一摩擦サポートによる停止アクションを助ける。クリートは概して、履物で前方を向く成形突起の幅狭前部を有するように、リヤヒールに配置された場合、第二摩擦サポートによる前方にスライドする動きを助ける。
【００４７】
クリート４１がソールまたはヒールの中央に配置された場合、図７に示されるように外側傾斜壁が内側傾斜壁と実質的に等しく傾くように、内側に向けて傾く後面および側面は、ソールまたはヒールに成形および配置されている。
【００４８】
しかしながら、クリート４２がソール２１またはヒール２３の周縁または中央から外れた位置に配置された場合、外側傾斜壁４６が内側傾斜壁４７よりも少なく内側に向けて傾くように、内側に向けて傾く後面４５および側面４６、４７は、ソール２１またはヒール２３に成形および配置される。これは、図８および図９中、ＡＳ１およびＡＳ２により示されるような、より多くのスライド防止を提供する。
【００４９】
内側に向けて傾く後面４５および側面４６、４７の相対的な傾斜バリエーションを図１０に示すとともに、さらに説明する。
【００５０】
図１１〜図２０の図面を参照すると、本発明にかかるフットボールブーツ１１１のさらなる形態が示されており、つま先部分１１７からヒール部分１１８へ延びる上部１１６を有し、頂部セクションにおけるひも１１９で閉じることができる。下面において、中間の足の甲またはアーチサポートエリア１２２、およびリヤヒールセクション１２３に延びる、フロントソールプレート１２５がある。
【００５１】
フロントソールプレート１２５において、複数のソケットがあり、各ソケットが突出可能ストッパ１３０を受け入れ、第一前部摩擦サポートソール（primary front frictional support sole）を提供する。
【００５２】
本発明の形態において、向上した縦方向および横方向コントロールを備える、改良された第一前部足サポートを有するフットボールブーツを含み、足の前部のみが主に地面に係合して摩擦コントロールを提供する。これは、フットボールブーツが、ロールまたは安定性特性を備えるリヤヒール１２７の構成であって、摩擦特性を備えないリヤヒール１２７の構成を有し、その結果、足の前部のみが主に地面に係合して摩擦コントロールを提供し、一方、フットボールブーツの後部は縦方向であろうと横方向であろうと正確な動きを助けることにおいて達成され得る。
【００５３】
フットボールブーツ１１１は、向上した縦方向および横方向コントロールを備える、改良された第一前部足サポートを有し、その結果、足の前部のみが主に地面に係合して摩擦コントロールを提供する。フロントソールプレート１２５は、複数のソケットを有し、複数のソケットのそれぞれが突出可能ストッパ１３０を受け入れ、第一前部摩擦サポートソールを提供する。
【００５４】
しかしながら、横方向の動きを、より特に向上するために、スポーツ用履物は、各ソケットが突出可能ストッパを受け入れる複数のソケットのうちの少なくともいくつかを有し、ソールプレートの側縁近くにて実質的に対向するラインを形成し、かつソールプレート１２５の側縁付くにて実質的に対向するライン１３１、１３２を形成する。
【００５５】
優れたストップ可能性およびコントロールを提供するために、各ソケットが、突出可能ストッパを受け入れる、複数のソケットの大部分は、フロントソールプレート１２５の後部１３３に配置されている。
【００５６】
ブーツ前部の枢動可能性を、より特に向上するため、リヤヒールは突起がなく、したがって地面との摩擦がない。さらに、各ソケットが突出可能ストッパを受け入れる複数のソケットのうちの少なくとも１つは、別のストッパから離間されたフロントソールプレート１２５の中央位置１３５に配置可能であり、回転枢支点を形成する。
【００５７】
フットボールのブーツ１１１は、ロールまたは安定性特性を備えるリヤヒール構成１２７であって、足の前部のみが主に地面に係合して摩擦コントロールを提供するような摩擦特性を備えないリヤヒール構成１２７を有し、一方、ブーツの後部は、横方向または縦方向の正確な動きを助ける。ヒール１２７は、成形された連続的なヒールである。ヒールには、突起がほとんどないか、または突起が全くない。より詳細には、ブーツ１１１は、フロントソール１２５に対してヒール１２１を曲げるために、柔軟性がある。このようにして、フットボールブーツは、ストッパ等の使用による第一フロントソール摩擦サポートのみを必要とする。
【００５８】
別々におよび様々な組み合わせで、以下を提供する、多くの要素があることが分かる。
ａ）第一摩擦サポートの前部強調
ｂ）第二摩擦サポートの少ない強調
ｃ）クリート構成
ｄ）ストップする構成
【００５９】
本発明にかかるスポーツ用履物は、ソールとヒールとを有し、ソールは第一摩擦サポートを有し、ヒールは第二摩擦サポートを有し、第二摩擦サポートは第一摩擦サポートよりも実質的に少ない摩擦サポートを有する。
【００６０】
第一摩擦サポートの前部強調
【００６１】
本発明は、向上した縦方向および横方向コントロールを備える、改良された第一前部足サポートを有する、フットボールブーツを提供し、その結果、足の前部のみが主に地面に係合して、摩擦コントロールを提供する。
【００６２】
第一摩擦サポートの前部強調は、以下の１つまたは複数の使用を通して達成される。
・第一摩擦サポートのソール形成部分のみにストッパを有し、第二摩擦サポートを有するヒールにストッパを有しない、スポーツ用履物であって、
・履物のソールおよびヒールから突出するストッパおよびクリートを有し、ストッパは、第一摩擦サポートのソール形成部分のみにあり、ストッパは、第二摩擦サポートを有するヒールになく、
・ストッパは、実質的に円錐台状の突起であり、
・クリートは、ストッパよりも小さな突起であり、
・履物のウェイトは、前方近くにあり、および/または
・リヤヒールに対するフロントソールの角度は、第一摩擦サポートの前部強調（front emphasis）を提供する。
【００６３】
図１〜図６に示した履物は、履物のソールおよびヒールから突出する、ストッパおよびクリートを有する。しかしながら、ストッパは、第一摩擦サポートのソール形成部分にのみあり、ストッパは、第二摩擦サポートを有するヒールにはなく、ストッパは、スロットの受け入れスクリューに受け入れ可能である。
【００６４】
フットボールブーツは、向上した縦方向および横方向コントロールを備える、改良された枢動前部足サポートを有することができ、その結果、足の前部のみが主に地面に係合して摩擦コントロールを提供する。改良された枢動前部足サポートは、フロントソールにストッパを含む。
【００６５】
第一摩擦サポートを有するソールは、第二摩擦サポートを有するヒールに対して、ある角度をなしており、第二摩擦サポートは、第一摩擦サポートよりも実質的に少ない摩擦サポートを有し、その結果、足の前部のみが主に地面に係合して摩擦コントロールを提供する。第一摩擦サポートを有するソールに対する、第二摩擦サポートを有するヒールの通常の非屈曲角は、約３０°〜４５°である。第一摩擦サポートを有するソールに対する、第二摩擦サポートを有するヒールの角度は、約０°からほぼ非屈曲角までの間で変化する。第一摩擦サポートを有するソールに対する、第二摩擦サポートを有するヒールの角度は、非屈曲角に戻るように弾性的に曲がる。
【００６６】
第二摩擦サポートの、少ない強調
【００６７】
履物のフロントソールではなくて、ヒールでの第二摩擦サポートの少ない強調は、以下の１つまたは複数の組み合わせにより、達成され得る。
ａ）ヒールに突起がなく、フロントソールに突起がある。
ｂ）フロントソールの突起に対して、リヤヒールの小さな突起。
ｃ）フロントソールの突起に対して、ヒールのパターン成形。
ｄ）フロントソールのみの大きなストッパに対して、ヒールのみの小さなクリート。
ｅ）フロントソールの大きなストッパおよびクリートに対して、ヒールのみの小さなクリート。
【００６８】
構成の重要な部分は、相対的な摩擦サポートであることが分かる。相対的な摩擦サポートにより、これは、履物が地面に当たったときのスリップ防止またはスリップ低減の提供に関連することが理解される。一般的には、あなたは、いつ何をスリップさせるのか、およびいつ何をスリップさせないのか（スリップ防止）のコントロールを含む、スポーツゲームをするときのコントロールを有することを望む。
【００６９】
この第二摩擦サポートの少ない強調という利点は、ヒールが、着用者の足の内側アーチに続くブリッジであるので、一般には地面に係合しない内側ステップまたはアーチ道（archway）により、フロントソールから全体的に離間されることである。この結果、間隔が生じ、従来の履物は一般的に、離間されたヒールとソールとの両方に類似の摩擦サポートの範囲を有していた。人が従来の履物を真向き方向（straight ahead direction）に角度をつけて着地させる場合、それらは同様の摩擦サポートのためにその角度でストップすることになり、これは、怪我の可能性を著しく高める変な角度で、着用者の脚と足と足首と膝に、負担およびストレスを引き起こしやすくする。
【００７０】
しかしながら、本発明では、第一摩擦サポートの前部強調、かつ第二摩擦サポートの少ない強調は、足の通常の枢動または前方へのコントロールをフットボールおよび関連するスポーツの分野において使用することができることを意味する。
【００７１】
着用者が改良された履物を着地させる場合、離間された摩擦サポートにより着用者の足が捻られることはないが、第二アシスタンスを提供するソールおよび第二サポートによって行われる第一摩擦サポートを有することが分かる。
【００７２】
その第二アシスタンスは、その結果、フットボールと接触して蹴るために、他方の脚が地面の上で振り回されている間、地面に対する支持脚のしっかりとした基盤を提供することなどの、フロントソールおよびヒールが地面に係合している時間に注目することができる。これにより、フロントソールの第一摩擦サポートとヒールの第二摩擦サポートとの両方の安定性および横方向のスライド防止特性が重要になる。
【００７３】
しかしながら、着用者およびスポーツがフロントサポートのみを必要とし、かつ前方枢動をゲームの全ての局面を通してのみ必要とする場合は、第二摩擦サポートは、突起を伴わずに、実質的に最小限の摩擦サポートを有することができることを理解することができる。
【００７４】
クリート
【００７５】
クリートはある範囲の重要な要素を有し、かつ提案された本発明のクリートは、以下のいずれか１つまたは複数であり得る。
ａ）ストッパに対する相対的なサイジング、
ｂ）成形可能な突起（Mouldable protrusions）、
ｃ）成形突起（Shaped protrusions）、
ｄ）クリートの位置、
ｅ）成形クリートの方向、および／または
ｆ）クリートの相対的な幅、長さ、および／または高さ。
【００７６】
クリート４１は、リードする前部と、幅広後部と、を有する、全体的に成形された突起である。図７において、内側に向かって傾く後部４５および側面４６、４７を備える、リードする前部および幅広後部を有する、三角柱状の突起が示されている。クリートは、ストッパの突起の約６０％未満突出して、ストッパよりも小さな突起を形成する。しかしながら、より好ましくは、クリートは、ストッパの突起の約５０％突出して、ストッパよりも小さな突起を形成する。一実施例において、クリートは、約７．５ミリメートル突出し、一方、ストッパは、約１５．０ミリメートル突出する。
【００７７】
クリートは概して、第一摩擦サポートによる停止アクションを助けるために、スポーツ用履物で前方を向く成形突起の幅広後部を有するように、フロントソールに配置される。したがって、第一摩擦面は、クリートの後面４５が前方を向いている状態の、クリートの方向性のある構成（directional arrangement）により、改良される。このクリートの後壁４５は、成形されたクリートの特定の長さＬに対して、長さＳ２短くするとともにＳ１長くすることにより、９０°平面に向かって、より高く傾斜させることができる。好ましくは、クリートの後壁は、地面に瞬時に引っかかるのではなく、コントロールされたスライド、次にグリップの成分を提供するように、部分的に傾斜される。傾斜、および特に三角錐体形状は、地面のフローオーバー（flow over）と、内側に向けて傾く２つの側面４６、４７の頂点に合わせたスライドの方向コントロールと、を提供する。
【００７８】
ヒールの周囲上またはヒールの周囲付近のクリートは概して、履物の甲上の領域またはポイントに向かって前方を向く成形突起のより幅狭前部を有するように、リヤヒールに配置される。クリートは概して、履物の甲上の領域またはポイントに向かって後方を向く成形突起の幅狭前部を有するように、フロントソールに配置される。
【００７９】
これにより、クリートの後面４７の方向の、この構成は、履物の定義可能なサポートを提供し、その結果、ヒールは後方へのスライド防止を提供し、その結果、着用者が他方の足で蹴っているときに足は後方へスライドしない。また、フロントソール上のクリートの後面４７の方向のこの構成は、これにより、履物の定義可能なサポートを提供し、その結果、フロントソールは、ストップするために前方へのスライド防止またはコントロールされたスライドを提供し、その結果、着用者がストップしようとしているときに足が前方へスライドし続けないようにする。
【００８０】
しかしながら、クリートの全長Ｌが幅Ｗに対して増加する図１０に示されるような角度を増加させるような、このクリート構成に対する別の変更は、適用可能である。
【００８１】
内側に向けて傾く後面および側面は、実質的に平面である。他のプレーヤとの接触による損傷を最小限にするために、内側に向けて傾く側面の交差する部分は丸みを帯びているか、または内側に向けて傾く側面の交差する部分は数珠状をなしている。別の選択肢は、内側に向けて傾く側面の交差する部分を面取りすることである。
【００８２】
図７を参照すると、別の調節は、内側クリート壁４７に対する、外側クリート壁４６の、相対的な傾斜である。内側に向けて傾く後面および側面は、外側傾斜壁が内側傾斜壁よりも少なく内側に向けて傾くように、ソールまたはヒールに成形および配置される。すなわち、外側傾斜壁４６は、内側傾斜壁４７よりも、９０°に近い。バランスが取られるとき、そのとき、内側に向けて傾く後面および側面４６、４７は、ソールまたはヒールに成形および配置され、その結果、クリートがソールまたはヒールの中央に配置された場合、外側傾斜壁は、内側傾斜壁と実質的に等しく傾く。
【００８３】
ストッパの構成
【００８４】
ストッパの構成は、多くの利点をもたらすことができる。
【００８５】
最初の利点は、ストッパを履物のフロントソールのみに有するとともにストッパをヒールに有しないことにより、その結果、履物前部に摩擦の重要性の直接的な強調があることである。さらに、密度および他の突起に対する相対的な突出。
【００８６】
フットボールブーツの枢動のために、フットボールのブーツは、フロントソールにストッパを含み、フロントソールに対するリヤソールに、ストッパまたは実質的な突起を含まない。このようにして、フットボールのピッチにもつれる実質的なヒールの突起はなく、着用者は、前方に枢動することができる。
【００８７】
この枢動は、フロントソールの中央部に、第一ストッパを有することにより、さらに強調することができる。これは、回転枢支点を形成するために、別のストッパから離間されたフロントソールプレートの中央位置に配置可能な突出可能ストッパを受け入れるための複数のソケットのうちの少なくとも１つにより、提供され得る。しかしながら、枢動ストッパは、ソールプレートに、成形することができる。
【００８８】
また好ましくは、配置状態で複数のストッパのうちの少なくともいくつかは、ソールの側縁近くにて、実質的に対向するラインの位置にある。またさらに、各ソケットが突出可能ストッパを受け入れる複数のソケットのうちの大部分は、フロントソールの後部に配置されている。
【００８９】
フットボールブーツは、ロールまたは安定性特性を有するが、摩擦特性を有しないリヤヒール構成を有し、その結果、足の前部のみが主に地面に係合して摩擦コントロールを提供し、一方、フットボールブーツの後部は、横方向または縦方向への正確な動きを助ける。好ましくは、ヒールは、突起がほとんどないか、または突起が全くない、成形された連続的なヒールである。
【００９０】
［解釈］
実施形態：
この明細書を通して、「一実施形態（one embodiment）」または「実施形態（an embodiment）」に対する言及は、実施形態に関連して説明された特定の特徴、構造、または特性が、本発明の少なくとも１つの実施形態に含まれることを意味する。したがって、この明細書を通してさまざまな箇所における「一実施形態において（in one embodiment）」または「実施形態において（in an embodiment）」という表現の出現は、必ずしもすべてが同じ実施形態に言及しているわけではないが、そうでもよい。さらに、特定の特徴、構造、または特性は、１つまたは複数の実施形態においてこの開示から当業者に明らかであるような任意の適切な方法で、組み合わせることができる。
【００９１】
同様に、本発明の例示的な実施形態の上記説明において、本発明の様々な特徴は時には、様々な発明の態様のうちの１つまたは複数の、開示の合理化とともに理解を助ける目的で、その単一の実施形態、図面、または説明に、一緒に分類されることは理解されよう。しかしながら、この開示の方法は、特許請求された発明が各請求項に明示的に記載されたものよりも多くの特徴を必要とする意図を反映するものとして解釈されるべきではない。むしろ、以下の特許請求の範囲が反映するように、本発明の態様は、単一の前述の開示された実施形態のすべての特徴よりも少ないものにある。したがって、特定の実施形態の詳細な説明に続く特許請求の範囲は、これによって、この特定の実施形態の詳細な説明に明示的に組み込まれ、各請求項はこの発明の別個の実施形態としてそれ自身に依存している。
【００９２】
さらに、本明細書において説明された幾つかの実施形態は、別の実施形態に含まれる幾つかの別の特徴を含むが、異なる実施形態の特徴の組み合わせは、本発明の要旨の範囲内にあり、当業者により理解されるような異なる実施形態を形成することを意味する。例えば、以下の特許請求の範囲において、特許請求された実施形態のいずれかは、任意の組み合わせで使用することができる。
【００９３】
＜対象の異なる例＞
本明細書で使用するとき、特に明記しない限り、「第一（first）」、「第二（second）」、「第三（third）」などの、共通の対象を説明するための、順序を示す形容詞の使用は、類似する対象の異なる例を示しているだけであり、そのように記述された対象が、与えられた順序でなければならないこと、時間的、空間的、順位付け、またはその他の方法でなければならないことを、暗に意味することを意図していない。
【００９４】
＜具体的な詳細＞
本明細書で行われた説明において、多くの具体的な詳細が記載されている。しかしながら、本発明の実施形態は、これら具体的な詳細なしに実施され得ることが理解される。別の例において、周知の方法、構造、および技術は、この説明の理解を不明瞭にしないために詳細に示されていない。
【００９５】
＜用語＞
図面に示された本発明の好ましい実施形態の説明において、明瞭化のために特定の用語が用いられる。しかしながら、本発明は、そのように選択された特定の用語に限定されることを意図するものではなく、それぞれの特定の用語は類似の技術的目的を達成するために類似の方法で動作するすべての技術的等価物を含むことが理解される。「前方」、「後方」、「半径方向」、「周辺」、「上向き」、「下向き」などの用語は、基準点を提供するための便宜的な用語として使用されるものであり、限定的な用語として解釈されるべきではない。
【００９６】
＜備える（Comprising）および含む（Including）＞
以下の特許請求の範囲および前述した本発明の説明において、文脈が言語表現または必要な示唆のために必要とする場合を除いて、「含む（comprise）」という用語、または「含む（comprises）」もしくは「含む（comprising」などの変形は、包括的な意味で用いられ、すなわち、記載された特徴の存在を特定するものの、本発明の様々な実施形態におけるさらなる特徴の存在または追加を排除するものではない。
【００９７】
本明細書で使用するとき、「含む（including）」または「含む（which includes）」または「含む（that includes）」という用語のいずれか１つはまた、少なくともその用語に続く要素／特徴を含むが、他のものを除外しないことを意味するオープンターム（open term）である。したがって、含む（including）は、備える（comprising）と同義語であり、備える（comprising）を意味する。
【００９８】
＜発明の要旨＞
したがって、本発明の好ましい実施形態であると考えられるものを説明したが、当業者は、本発明の精神から逸脱することなく別のおよびさらなる修正をそれになし得ること、およびそのような変更および修正のすべては本発明の要旨の範囲内に含まれることを、理解するであろう。例えば、上記した任意の手法は、使用され得る手順の単なる代表的なものである。機能性（Functionality）は、ブロック図に追加、またはブロック図から削除することが可能であり、作用（operations）は、機能ブロック間で交換することが可能である。ステップは、本発明の要旨の範囲内で、説明された方法に対して、追加または削除することが可能である。
【００９９】
本発明は特定の実施例を参照して説明されたが、本発明は多くの別の形態で実施し得ることが当業者により理解される。
【産業上の利用可能性】
【０１００】
説明された構成は、スポーツシューズおよびスポーツ産業に、応用可能であることが、上記から明らかである。
【符号の説明】
【０１０１】
２１  フロントソール
２３  ヒール
２５  第二摩擦サポート
３０  第一摩擦サポート
【図１】
2018535814.tif 000003
【図２】
2018535814.tif 000004
【図３】
2018535814.tif 000005
【図４】
2018535814.tif 000006
【図５】
2018535814.tif 000007
【図６】
2018535814.tif 000008
【図７】
2018535814.tif 000009
【図８】
2018535814.tif 000010
【図９】
2018535814.tif 000011
【図１０】
2018535814.tif 000012
【図１１】
2018535814.tif 000013
【図１２】
2018535814.tif 000014
【図１３】
2018535814.tif 000015
【図１４】
2018535814.tif 000016
【図１５】
2018535814.tif 000017
【図１６】
2018535814.tif 000018
【図１７】
2018535814.tif 000019
【図１８】
2018535814.tif 000020
【図１９】
2018535814.tif 000021
【図２０】
2018535814.tif 000022
【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
第一摩擦サポートを有するソールと、第二摩擦サポートを有するヒールと、を有するスポーツ用履物であって、前記第二摩擦サポートは、前記第一摩擦サポートよりも実質的に少ない摩擦サポートを有し、前記第一摩擦サポートは、前記スポーツ用履物の前記ソールおよび／または前記ヒールから突出する、ストッパおよびクリートを有し、
前記ストッパは、前記第一摩擦サポートのソール形成部分のみにあり、前記ストッパは、前記第二摩擦サポートを有するヒールにはなく、前記ヒールは、前記第一摩擦サポートと比較し低い第二摩擦サポートを形成するクリートを有し、
前記スポーツ用履物は、向上した縦方向および横方向コントロールを備える、改良された第一前部足サポートを有し、前記第一摩擦サポートを有するソールは、足の前部のみが主に地面に係合して摩擦コントロールを提供するように、前記ヒールに対してある角度をなしているスポーツ用履物。
【請求項２】
第二摩擦サポートを有するヒールを有し、実質的に突起がないことが、非常に低い第二摩擦サポートを形成する、請求項１に記載のスポーツ用履物。
【請求項３】
前記クリートは、前記ストッパよりも小さな突起である請求項１に記載のスポーツ用履物。
【請求項４】
前記クリートは、前記ストッパよりも小さな突起であり、その結果、前記クリートは、前記ストッパの突起の約６０％未満突出して前記ストッパよりも小さな突起を形成する請求項３に記載のスポーツ用履物。
【請求項５】
前記クリートは、前記ストッパの突起の約５０％突出して前記ストッパよりも小さな突起を形成する請求項３に記載のスポーツ用履物。
【請求項６】
前記クリートは、約７．５ミリメートル突出する請求項３に記載のスポーツ用履物。
【請求項７】
前記ストッパは、約１５．０ミリメートル突出する請求項３に記載のスポーツ用履物。
【請求項８】
前記第一摩擦サポートを有するソールは、前記第二摩擦サポートを有するヒールに対して、ある角度をなしており、前記第二摩擦サポートは、前記第一摩擦サポートよりも実質的に少ない摩擦サポートを有し、その結果、足の前部のみが主に地面に係合して摩擦コントロールを提供し、
前記第一摩擦サポートを有するソールに対する、前記第二摩擦サポートを有するヒールの通常の非湾曲角度は、約３０°〜４５°であり、
前記第一摩擦サポートを有するソールに対する、前記第二摩擦サポートを有するヒールの角度は、実質的に、約０°とほぼ非湾曲角度との間で曲がる請求項１に記載のスポーツ用履物。
【請求項９】
前記第一摩擦サポートを有するソールに対する、前記第二摩擦サポートを有するヒールの角度は、非湾曲角度に戻るように弾性的に曲がる請求項１に記載のスポーツ用履物。
【請求項１０】
前記ストッパは、実質的に円錐台状の突起である請求項１から７のいずれか一項に記載のスポーツ用履物。
【請求項１１】
前記クリートは概して、リードする前部と、幅広後部と、を有する、成形された突起である請求項１０に記載のスポーツ用履物。
【請求項１２】
前記クリートは概して、前記第一摩擦サポートによる停止アクションを助けるために、前記スポーツ用履物で前方を向く成形突起の幅広後部を有するように、フロントソールに配置され、
前記クリートは概して、前記第二摩擦サポートによる前方にスライドする動きを助けるために、前記スポーツ用履物で前方を向く成形突起の幅狭前部を有するように、リヤヒールに配置されている請求項１１に記載のスポーツ用履物。
【請求項１３】
前記クリートは概して、前記スポーツ用履物の甲の領域またはポイントに向かって後方を向く成形突起の幅狭前部を有するように、前記フロントソールに配置されている請求項１２に記載のスポーツ用履物。
【請求項１４】
前記ヒールの外周上または前記ヒールの外周近くのクリートは概して、前記スポーツ用履物の甲の領域またはポイントに向かって前方を向く成形突起の幅狭前部を有するように、前記リヤヒールに配置されている請求項１２または１３に記載のスポーツ用履物。
【請求項１５】
前記クリートは概して、前記スポーツ用履物の甲の領域またはポイントに向かって後方を向く成形突起の幅狭前部を有するように、前記フロントソールに配置されている請求項１２または１３に記載のスポーツ用履物。
【請求項１６】
前記クリートは、内側に向けて傾く後面および側面を備える、リードする前部および幅広後部を有する、ほぼ三角柱状の突起であり、
前記内側に向けて傾く後面および側面は、外側傾斜壁が内側傾斜壁よりも小さく内側に傾くように、前記ソールまたは前記ヒールに成形および配置され、かつ
前記クリートが前記ソールまたは前記ヒールの中央に配置された場合、前記外側傾斜壁が前記内側傾斜壁と実質的に等しく傾くように、前記内側に向けて傾く後面および側面は、前記ソールまたは前記ヒールに成形および配置されている請求項１２に記載のスポーツ用履物。
【請求項１７】
前記内側に向けて傾く後面および側面は、実質的に平面である請求項１６に記載のスポーツ用履物。
【請求項１８】
前記内側に向けて傾く側面と側面とが交わる部分は、丸みを帯びている請求項１６に記載のスポーツ用履物。
【請求項１９】
内側に向けて傾く側面と側面との交わる部分は、数珠状をなしている請求項１６に記載のスポーツ用履物。
【請求項２０】
前記内側に向けて傾く側面と側面との交わる部分は、面取りされている請求項１６に記載のスポーツ用履物。
【請求項２１】
前記スポーツ用履物のソールおよびヒールから突出する、ストッパおよびクリートを有し、前記ストッパは、前記第一摩擦サポートのソール形成部分のみにあり、前記ストッパは、前記第二摩擦サポートを有するヒールにはなく、前記ストッパは、スロットの受入スクリューに受け入れ可能である請求項３に記載のスポーツ用履物。
【請求項２２】
前記スポーツ用履物のソールおよびヒールから突出する、前記ストッパおよびクリートを有し、前記ストッパは、前記第一摩擦サポートのソール形成部分のみにあり、前記ストッパは、前記第二摩擦サポートを有するヒールにはなく、前記クリートは、前記ヒールまたは前記ソールと一緒に成形可能である請求項５に記載のスポーツ用履物。
【請求項２３】
前記スポーツ用履物のソールおよびヒールから突出する、前記ストッパおよびクリートを有し、前記ストッパは、前記第一摩擦サポートのソール形成部分のみにあり、前記ストッパは、前記第二摩擦サポートを有するヒールにはなく、前記ストッパは、フロントソールと一緒に成形可能である請求項５に記載のスポーツ用履物。
【請求項２４】
向上した縦方向および横方向コントロールを備える、改良された枢動前部足サポートを有する、フットボールブーツをさらに備え、その結果、足の前部のみが主に地面に係合して摩擦コントロールを提供する請求項１から５のいずれか一項に記載のスポーツ用履物。
【請求項２５】
フットボールブーツを備え、前記改良された枢動前部足サポートは、フロントソールにストッパを含む請求項２４に記載のスポーツ用履物。
【請求項２６】
フットボールブーツを備え、前記改良されたスポーツ用履物は、前記フロントソールに対してリヤソールに、ストッパを含まないか、または実質的な突起を含まない請求項２５に記載のスポーツ用履物。
【請求項２７】
フットボールブーツを備え、前記改良された枢動前部足サポートは、前記フロントソールと一体になっている請求項２６に記載のスポーツ用履物。
【請求項２８】
フットボールブーツを備え、前記改良された枢動前部足サポートは、成形ストッパと一体化された成形ソールにより、前記フロントソールと一体的に成形されている請求項２７に記載のスポーツ用履物。
【請求項２９】
フットボールブーツを備え、前記改良された枢動前部足サポートは、前記フロントソールに取り付け可能である請求項２８に記載のスポーツ用履物。
【請求項３０】
フロントソールプレートを有するフットボールブーツを含み、複数のソケットのそれぞれが、突出可能ストッパを受け入れ、第一フロント摩擦サポートソールを提供する請求項２９に記載のスポーツ用履物。
【請求項３１】
配置状態で複数のストッパのうちの少なくともいくつかは、ソールプレートの側縁近くにて実質的に対向するラインを形成している請求項１から３０のいずれか一項に記載のスポーツ用履物。
【請求項３２】
各ソケットが突出可能ストッパを受け入れる複数のソケットの大部分は、フロントソールプレートの後部に配置され、ソールプレートの側縁の近くにて、実質的に対向するラインを形成している請求項１から３１のいずれか一項に記載のスポーツ用履物。
【請求項３３】
回転枢支点を形成するために、各ソケットが突出可能ストッパを受け入れる複数のソケットのうちの少なくとも１つは、他のストッパから離間されたフロントソールプレートの中央位置に配置可能である請求項３２に記載のスポーツ用履物。
【請求項３４】
フットボールブーツは、ロールまたは安定性特性を備えるが、摩擦特性を備えない、リヤヒール構成を有し、その結果、足の前部だけが主に地面に係合して摩擦コントロールを提供し、一方、前記フットボールブーツの後部は、横方向または縦方向への正確な動きを助ける請求項１から３３のいずれか一項に記載のスポーツ用履物。
【請求項３５】
前記ヒールは、成形された連続的なヒールであることを特徴とする請求項１から３４のいずれか一項に記載のスポーツ用履物。
【請求項３６】
前記ヒールは、突起をほとんど有していないか、または突起を全く有していないことを特徴とする請求項１から３５のいずれか一項に記載のスポーツ用履物。
【請求項３７】
フットボールブーツは、フロントソールに対して前記ヒールを曲げるための、柔軟性がある請求項１から３６のいずれか一項に記載のスポーツ用履物。
【請求項３８】
フットボールブーツは、ストッパ等の使用による第一フロントソール摩擦サポートのみを必要とする請求項１から３７のいずれか一項に記載のスポーツ用履物。
【請求項３９】
ａ．ソールおよびヒールであって、
ｉ．前記ソールは、第一摩擦サポートを有し、前記ヒールは、第二摩擦サポートを有し、前記第二摩擦サポートは、前記第一摩擦サポートよりも少ない摩擦サポートを有する、ソールおよびヒールと、
ｂ．スポーツ用履物のソールおよびヒールから突出する、ストッパおよびクリートであって、
ｉ．前記ストッパは、前記第一摩擦サポートのソール形成部分のみにあり、前記ストッパは、前記第二摩擦サポートを有するヒールにはなく、
ii．前記クリートは、前記ストッパよりも小さな突起である、ストッパおよびクリートと、
ｃ．足の前部のみが主に地面に係合して摩擦コントロールを提供するような、ヒールに対するある角度で、前記第一摩擦サポートを有する、ソールと、
を有し、
ｄ．前記クリートは概して、リードする前部および幅広後部を有する、成形された突起であり、前記クリートは、内側へ向けて傾く後面および側面を備える、リードする前部および幅広後部を有する、ほぼ三角柱状の突起であり、
ｅ．前記クリートは概して、前記第一摩擦サポートによる停止アクションを助けるために、前記スポーツ用履物で前方を向く成形突起の幅広後部を有するように、フロントソールに配置され、かつ前記クリートは概して、前記第二摩擦サポートによる前方にスライドする動きを助けるために、前記スポーツ用履物で前方を向く成形突起の幅狭前部を有するように、リヤヒールに配置されているスポーツ用履物。
【請求項４０】
ａ．内側に向けて傾く後面および側面は、外側傾斜壁が内側傾斜壁よりも小さく内側に傾くように、ソールまたはヒールに成形および配置され、
ｂ．前記クリートが前記ソールまたはヒールの中央に位置する場合、前記外側傾斜壁が前記内側傾斜壁と実質的に等しく傾くように、内側に向けて傾く後面および側面は、前記ソールまたはヒールに成形および配置されている請求項３９に記載のスポーツ用履物。
【国際調査報告】
2018535814.tif 000023
2018535814.tif 000024
2018535814.tif 000025
2018535814.tif 000026